【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】  （ｉ）ポリエステル樹脂、（ｉｉ）炭化水素系ワックス、（ｉｉｉ）スチレン系モノマーとＮ含有ビニルモノマー、カルボキシル基含有モノマー、水酸基含有モノマー、アクリル酸エステルモノマー及びメタアクリル酸エステルモノマーから選ばれる１種又は２種以上のモノマーとを用いて合成された共重合体とポリオレフィンとを少なくとも有するワックス分散剤、及び（ｉｖ）着色剤を含有するトナーであり、
該ポリオレフィンのＤＳＣによって測定される昇温時の吸熱曲線において、最大吸熱ピークの極大値が９０〜１３０℃にあり、
該炭化水素系ワックスのＤＳＣによって測定される昇温時の吸熱曲線において、最大吸熱ピークの極大値が５５〜８０℃にあり、
該トナーにおける全ポリエステル樹脂の含有量（Ｗ１）、該炭化水素系ワックスの含有量（Ｗ２）、該共重合体の含有量（Ｗ３）、及びポリオレフィンの含有量（Ｗ４）の質量比が下記関係
Ｗ１：Ｗ２：Ｗ３：Ｗ４＝１００：（０．１〜６）：（０．１〜２０）：
（０．１〜２）
Ｗ３：Ｗ４＝１００：（１〜４００）
を満足することを特徴とするトナー。
【請求項２】  該炭化水素系ワックスのＧＰＣによる分子量分布において、重量平均分子量（Ｍｗ）が４００〜８００であり、数平均分子量（Ｍｎ）が４００〜６００であり、重量平均分子量（Ｍｗ）と数平均分子量（Ｍｎ）との比（Ｍｗ／Ｍｎ）が１．０〜２．０であることを特徴とする請求項１に記載のトナー。
【請求項３】  該炭化水素系ワックスは、該トナー中にトナーの質量を基準として０．１〜６質量％含有されている請求項１又は２に記載のトナー。
【請求項４】  該共重合体は、スチレン系モノマー，Ｎ含有ビニルモノマー及び（メタ）アクリル酸系モノマーから生成された三元系共重合体であることを特徴とする請求項１乃至３のいずれかに記載のトナー。
【請求項５】  該共重合体のＧＰＣによる分子量分布において、重量平均分子量（Ｍｗ）が５０００〜１０００００であり、数平均分子量（Ｍｎ）が１５００〜１５０００であり、重量平均分子量（Ｍｗ）と数平均分子量（Ｍｎ）との比（Ｍｗ／Ｍｎ）が２〜４０であることを特徴とする請求項１乃至４のいずれかに記載のトナー。
【請求項６】  該共重合体は、該トナー中にトナーの質量を基準として０．１〜２０質量％含有されている請求項１乃至５のいずれかに記載のトナー。
【請求項７】  該ポリオレフィンは、ＧＰＣによる分子量分布において、重量平均分子量（Ｍｗ）が５００〜３００００であり、数平均分子量（Ｍｎ）が５００〜３０００であり、重量平均分子量（Ｍｗ）と数平均分子量（Ｍｎ）との比（Ｍｗ／Ｍｎ）が１．０〜２０であり、密度が０．９〜０．９５の低密度であることを特徴とする請求項１乃至６のいずれかに記載のトナー。
【請求項８】  該ポリオレフィンは、該トナー中にトナーの質量を基準として０．１〜２質量％含有されている請求項１乃至７のいずれかに記載のトナー。
【請求項９】  該トナーは、有機金属化合物を含有していることを特徴とする請求項１乃至８のいずれかに記載のトナー。
【請求項１０】  該有機金属化合物は、芳香族オキシカルボン酸及び芳香族アルコキシカルボン酸から選択される芳香族カルボン酸誘導体、又は、該芳香族カルボン酸誘導体の金属化合物であることを特徴とする請求項９に記載のトナー。
【請求項１１】  該有機金属化合物は、該トナー中にトナーの質量を基準として０．１〜１０質量％含有されている請求項９又は１０に記載のトナー。
【請求項１２】  該ポリエステル樹脂のＧＰＣによる分子量分布において、重量平均分子量（Ｍｗ）が２６００〜１９００００であり、数平均分子量（Ｍｎ）が１３００〜９５００であり、重量平均分子量（Ｍｗ）と数平均分子量（Ｍｎ）との比（Ｍｗ／Ｍｎ）が２〜２０であることを特徴とする請求項１乃至１１のいずれかに記載のトナー。
【請求項１３】  該ポリエステル樹脂は、酸価が１〜６０ｍｇＫＯＨ／ｇであることを特徴とする請求項１乃至１２のいずれかに記載のトナー。
【請求項１４】  該ポリエルテル樹脂は、酸価が５〜６０ｍｇＫＯＨ／ｇであることを特徴とする請求項１乃至１２のいずれかに記載のトナー。
【請求項１５】  該ポリエルテル樹脂は、酸価が５〜５０ｍｇＫＯＨ／ｇであることを特徴とする請求項１乃至１２のいずれかに記載のトナー。
【請求項１６】  該トナーは、磁性体をトナーの質量基準で５〜１２０質量％含有しており、該トナーは、マグネットを内包する現像剤担持体上に磁気的拘束力を伴って担持される磁性一成分系現像剤として用いられることを特徴とする請求項１乃至１５のいずれかに記載のトナー。
【請求項１７】  該トナーは、磁性体をトナーの質量基準で０．１〜５質量％含有しており、該トナーは、マグネットを有していない現像剤担持体上に磁気的拘束力を伴わずに担持される系非磁性一成分現像剤として用いられることを特徴とする請求項１乃至１５のいずれかに記載のトナー。
【請求項１８】  該トナーは、磁性体をトナーの質量基準で０．１〜５質量％含有しており、該トナーは、磁性キャリア粒子と混合されて二成分系現像剤として用いられることを特徴とする請求項１乃至１５のいずれかに記載のトナー。
【請求項１９】  記録材上に形成されているトナー画像の表面に定着部材を接触させ、且つ該トナー画像に熱及び圧力を付与することにより、該トナー画像を該記録材に定着する加熱定着方法において、
該記録材への該トナー画像の定着時に、該定着部材から該記録材のトナー画像の定着面に供給されるシリコーンオイルの記録材単位面積当たりの塗布量が０〜１×１０-7ｇ／ｃｍ2であり、
該トナーは、（ｉ）ポリエステル樹脂、（ｉｉ）炭化水素系ワックス、（ｉｉｉ）スチレン系モノマーとＮ含有ビニルモノマー、カルボキシル基含有モノマー、水酸基含有モノマー、アクリル酸エステルモノマー及びメタアクリル酸エステルモノマーから選ばれる１種又は２種以上のモノマーとを用いて合成された共重合体とポリオレフィンとを少なくとも有するワックス分散剤、及び（ｉｖ）着色剤を含有しており、
該ポリオレフィンのＤＳＣによって測定される昇温時の吸熱曲線において、最大吸熱ピークの極大値が９０〜１３０℃にあり、
該炭化水素系ワックスのＤＳＣによって測定される昇温時の吸熱曲線において、最大吸熱ピークの極大値が５５〜８０℃にあり、
該トナーにおける全ポリエステル樹脂の含有量（Ｗ１）、該炭化水素系ワックスの含有量（Ｗ２）、該共重合体の含有量（Ｗ３）、及びポリオレフィンの含有量（Ｗ４）の質量比が下記関係
Ｗ１：Ｗ２：Ｗ３：Ｗ４＝１００：（０．１〜６）：（０．１〜２０）：
（０．１〜２）
Ｗ３：Ｗ４＝１００：（１〜４００）
を満足することを特徴とする加熱定着方法。
【請求項２０】  該炭化水素系ワックスのＧＰＣによる分子量分布において、重量平均分子量（Ｍｗ）が４００〜８００であり、数平均分子量（Ｍｎ）が４００〜６００であり、重量平均分子量（Ｍｗ）と数平均分子量（Ｍｎ）との比（Ｍｗ／Ｍｎ）が１．０〜２．０であることを特徴とする請求項１９に記載の加熱定着方法。
【請求項２１】  該炭化水素系ワックスは、該トナー中にトナーの質量を基準として０．１〜６質量％含有されている請求項１９又は２０に記載の加熱定着方法。
【請求項２２】  該共重合体は、スチレン系モノマー，Ｎ含有ビニルモノマー及び（メタ）アクリル酸系モノマーからなる三元系共重合体であることを特徴とする請求項１９乃至２１のいずれかに記載の加熱定着方法。
【請求項２３】  該共重合体のＧＰＣによる分子量分布において、重量平均分子量（Ｍｗ）が５０００〜１０００００であり、数平均分子量（Ｍｎ）が１５００〜１５０００であり、重量平均分子量（Ｍｗ）と数平均分子量（Ｍｎ）との比（Ｍｗ／Ｍｎ）が２〜４０であることを特徴とする請求項１９乃至２２のいずれかに記載の加熱定着方法。
【請求項２４】  該共重合体は、該トナー中にトナーの質量を基準として０．１〜２０質量％含有されている請求項１９乃至２３のいずれかに記載の加熱定着方法。
【請求項２５】  該ポリオレフィンは、ＧＰＣによる分子量分布において、重量平均分子量（Ｍｗ）が５００〜３００００であり、数平均分子量（Ｍｎ）が５００〜３０００であり、重量平均分子量（Ｍｗ）と数平均分子量（Ｍｎ）との比（Ｍｗ／Ｍｎ）が１．０〜２０であり、密度が０．９〜０．９５の低密度であることを特徴とする請求項１９乃至２４のいずれかに記載の加熱定着方法。
【請求項２６】  該ポリオレフィンは、該トナー中にトナーの質量を基準として０．１〜２質量％含有されている請求項１９乃至２５のいずれかに記載の加熱定着方法。
【請求項２７】  該トナーは、有機金属化合物を含有していることを特徴とする請求項１９乃至２６のいずれかに記載の加熱定着方法。
【請求項２８】  該有機金属化合物は、芳香族オキシカルボン酸及び芳香族アルコキシカルボン酸から選択される芳香族カルボン酸誘導体、又は、該芳香族カルボン酸誘導体の金属化合物であることを特徴とする請求項２７に記載の加熱定着方法。
【請求項２９】  該有機金属化合物は、該トナー中にトナーの質量を基準として０．１〜１０質量％含有されている請求項２７又は２８に記載の加熱定着方法。
【請求項３０】  該ポリエステル樹脂のＧＰＣによる分子量分布において、重量平均分子量（Ｍｗ）が２６００〜１９００００であり、数平均分子量（Ｍｎ）が１３００〜９５００であり、重量平均分子量（Ｍｗ）と数平均分子量（Ｍｎ）との比（Ｍｗ／Ｍｎ）が２〜２０であることを特徴とする請求項１９乃至２９のいずれかに記載の加熱定着方法。
【請求項３１】  該ポリエステル樹脂は、酸価が１〜６０ｍｇＫＯＨ／ｇであることを特徴とする請求項１９乃至３０のいずれかに記載の加熱定着方法。
【請求項３２】  該ポリエルテル樹脂は、酸価が５〜６０ｍｇＫＯＨ／ｇであることを特徴とする請求項１９乃至３０のいずれかに記載の加熱定着方法。
【請求項３３】  該ポリエルテル樹脂は、酸価が５〜５０ｍｇＫＯＨ／ｇであることを特徴とする請求項１９乃至３０のいずれかに記載の加熱定着方法。
【請求項３４】  該記録材への該トナー画像の定着時に、該定着部材から該記録材にシリコーンオイルを供給せずに定着を行うことを特徴とする請求項１９乃至３３のいずれかに記載の加熱定着方法。
【請求項３５】  該トナーは、磁性体をトナーの質量基準で５〜１２０質量％含有しており、該トナーは、マグネットを内包する現像剤担持体上に磁気的拘束力を伴って担持される磁性一成分系現像剤として用いられることを特徴とする請求項１９乃至３４のいずれかに記載の加熱定着方法。
【請求項３６】  該トナーは、磁性体をトナーの質量基準で０．１〜５質量％含有しており、該トナーは、マグネットを有していない現像剤担持体上に磁気的拘束力を伴わずに担持される系非磁性一成分現像剤として用いられることを特徴とする請求項１９乃至３４のいずれかに記載の加熱定着方法。
【請求項３７】  該トナーは、磁性体をトナーの質量基準で０．１〜５質量％含有しており、該トナーは、磁性キャリア粒子と混合されて二成分系現像剤として用いられることを特徴とする請求項１９乃至３４のいずれかに記載の加熱定着方法。